(57)【特許請求の範囲】
【請求項１】
建設機械のゴムクローラを、サイドフレームの両端の駆動スプロケットと従動輪に掛けて取付ける方法において、
駆動スプロケットまたは該駆動スプロケットと同時に回転する部分に、外周に螺旋状をなすように連続的または断続的に突条を設けた円錐形の治具を、側方に突出させて取付けると共に、ゴムクローラを取付ける側のサイドフレームを浮かせ、かつ従動輪を前記駆動スプロケット方向に移動させて、従動輪と駆動スプロケットとの距離を縮めておき、該従動輪にゴムクローラの一端側を掛け、
前記治具に前記ゴムクローラの他端を掛け、
浮かせている側の駆動スプロケットを走行モータにより回転させて前記治具を回転させることにより、ゴムクローラの前記他端側を前記駆動スプロケット側にたぐり寄せて掛ける
ことを特徴とするゴムクローラの取付け方法。
【請求項２】
請求項１のゴムクローラの取付け方法に用いられる治具において、
円錐形に形成される枠体または筒体と、
前記枠体または筒体の外周に螺旋状をなすように連続的または断続的に取付けられた突条と、
前記枠体または筒体の大径側端面部に設けられ、前記駆動スプロケットまたは駆動スプロケットと同時に回転する部分に着脱自在に取付けられる取付け部とを有する
ことを特徴とするゴムクローラの取付け用治具。
【請求項３】
請求項２のゴムクローラの取付け用治具において、
ゴムクローラ取付け時にサイドフレームの上ローラに着脱自在に被せる治具をさらに備えた
ことを特徴とするゴムクローラの取付け用治具。
【発明の詳細な説明】
【０００１】
【発明の属する技術分野】
本発明は、油圧ショベルやクレーン等の建設機械におけるゴムクローラの取付け方法とその治具に関する。
【０００２】
【従来の技術】
ゴムクローラを使用する建設機械においては、稼動時間の経過とともにゴムクローラが摩耗する。そのため、古いゴムクローラをサイドフレームから外して新しいゴムクローラを取付ける交換作業を行う必要がある。従来は、ゴムクローラのサイドフレームへの取付けは、バール、ワイヤ等を使用してゴムクローラをこじりながら行っていた。
【０００３】
【発明が解決しようとする課題】
前記のように、工具を用いて人力によりゴムクローラを取付ける作業は労苦が多く、かつ危険の多い作業である。また、ワイヤ等でゴムクローラを損傷するおそれがあった。
【０００４】
本発明は、上記問題点に鑑み、ゴムクローラのサイドフレームへの取付けが労苦少なく容易に行えると共に、ゴムクローラを損傷するおそれがないゴムクローラの取付け方法とその治具を提供することを目的とする。
【０００５】
【課題を解決するための手段】
請求項１のゴムクローラの取付け方法は、建設機械のゴムクローラを、サイドフレームの両端の駆動スプロケットと従動輪に掛けて取付ける方法において、
駆動スプロケットまたは該駆動スプロケットと同時に回転する部分に、外周に螺旋状に突条を設けた円錐形の治具を、側方に突出させて取付けると共に、ゴムクローラを取付ける側のサイドフレームを浮かせ、かつ従動輪を前記駆動スプロケット方向に移動させて、従動輪と駆動スプロケットとの距離を縮めておき、
該従動輪にゴムクローラの一端側を掛け、
前記治具に前記ゴムクローラの他端を掛け、
浮かせている側の駆動スプロケットを走行モータにより回転させて前記治具を回転させることにより、ゴムクローラの前記他端側を前記駆動スプロケットに掛ける
ことを特徴とする。
【０００６】
このように、螺旋状に突条を取付けた円錐形の治具を用い、該治具にゴムクローラの駆動スプロケット側端部を掛けて回転させると、突条によりゴムクローラが回転しながらせり上げられて駆動スプロケットに掛けられる。
【０００７】
請求項２のゴムクローラの取付け用治具は、請求項１のゴムクローラの取付け方法に用いられる治具であって、
円錐形に形成される枠体または筒体と、
前記枠体または筒体の外周に螺旋状に取付けられた突条と、
前記枠体または筒体の大径側端面部に設けられ、前記駆動スプロケットまたは駆動スプロケットと同時に回転する部分に着脱自在に取付けられる取付け部とを有する
ことを特徴とする。
【０００８】
この治具は、駆動スプロケットに大径側取付け部を駆動スプロケットまたはこれと同時に回転する部分に取付け、ゴムクローラの端部を治具に掛け、駆動スプロケットと共に治具を回転させることにより、ゴムクローラが突条によってせり上げられ、駆動スプロケットに掛けられる。
【０００９】
請求項３のゴムクローラの取付け用治具は、請求項２において、
ゴムクローラ取付け時にサイドフレームの上ローラに着脱自在に被せてゴムクローラの上帯部をガイドする治具をさらに備えた
ことを特徴とする。
【００１０】
このようにゴムクローラをガイドする治具を備え、上ローラに該治具を被せることにより、上ローラの凹凸にゴムクローラが引っ掛かることなく、ゴムクローラがスムーズに該治具を滑り、ゴムクローラの取付けが円滑に行える。
【００１１】
【発明の実施の形態】
図１は本発明によるゴムクローラの取付け方法と治具を用いてゴムクローラの取付けを行う建設機械の一例である油圧ショベルの側面図である。図１において、１はクローラ式走行体であり、左右サイドフレーム２の後部に駆動スプロケット３を取付け、サイドフレーム２の前部に、油圧シリンダ４により前後動可能にブラケット５を取付け、該ブラケット５に従動輪６を取付けている。サイドフレーム２の下面には下ローラ７を取付け、上面には上ローラ８を取付け、ゴムクローラ９は前記駆動スプロケット３、従動輪６、下ローラ７、上ローラ８に掛けて取付けられる。
【００１２】
走行体１上には旋回装置１０を介して旋回体１１を設置し、旋回体１１にブーム１２をブームシリンダ１３により起伏自在に取付け、ブーム１２の先端にアームシリンダ１４によりアーム１５を回動自在に取付け、アーム１５の先端にバケットシリンダ１６によりバケット１７を回動自在に取付けている。
【００１３】
図２（Ａ）は本発明によるゴムクローラ取付け用治具の一実施の形態を示す側面図、図２（Ｂ）はその左側面図である。該治具２０は、前記駆動スプロケット３に対する取付け部となる大径の端版２１と、小径の端版２２との間に、複数本の縦板２３を、その各両端を端版２１、２２に溶接して取付けて枠体２４を構成している。大径側端版２１には、図１に示す側面に突出した回転部２５に嵌合する円形孔２６を有し、かつ取付け用ボルトを挿通し、駆動スプロケットと端版２１とを所定距離離すための複数のパイプ２７を溶接している。該枠体２４の外周には、螺旋状に突条２８を溶接により取付けている。
【００１４】
この治具２０は、ゴムクローラ９の取付けに当たり、図３（Ｂ）に示すように、トラックフレーム３１におけるゴムクローラ９を取付ける側をジャッキアップしてその下に角材等の台３２を敷いて浮かせておく。なお、前記ジャッキアップは、旋回装置１０の作動により、ブーム１２、アーム１４、バケット１７からなるフロントをゴムクローラ９を取付ける側に向け、バケット１７を着地させ、ブーム１２を下げることによって行うことができる。
【００１５】
そして図３（Ａ）に示すように、サイドフレーム２の後端に側方に突出した回転部２５に前記端版２１の穴２６を嵌合し、駆動スプロケット３の減速装置への取付けねじ孔２９の形成部分に前記パイプ２７の先端を当て、取付け用ボルト３０を前記パイプ２７に通してねじ孔２９にねじ込んで治具２０を取付ける。なお、治具２０の取付けは、駆動スプロケット３と同時に回転する回転部２５としてもよい。また、前記治具２０を取付ける前または後に、前記油圧シリンダ４を収縮させて従動輪６と駆動スプロケット３との距離を縮めておく。
【００１６】
このようにゴムクローラ９を取付ける側のサイドフレーム２を浮かせておき、図３（Ｃ）に示すように、ゴムクローラ９の一端を従動輪６に掛ける。この場合、バケット１７に設けられている吊り具（図示せず）と、ゴムクローラ９またはゴムクローラに取付ける治具（図示せず）との間にワイヤを掛け、バケットを引き上げ、旋回させて従動輪６にゴムクローラ９を掛ける。
【００１７】
また、ゴムクローラ９を従動輪６に掛けた後または掛ける前に、図３（Ｂ）、（Ｃ）に示すように、ゴムクローラ９の他端を治具２０に掛け、走行モータ３５を駆動（本例では後進方向に駆動する）して治具２０を駆動スプロケット３と共に回転させ、突条２８をゴムクローラ９の内面に圧接しながら回転することにより、ゴムクローラ９の駆動スプロケット３側端部は矢印Ｒに示すように駆動スプロケット３側に移動し、ゴムクローラ９の内面の凹凸部９ａ（図４（Ａ）参照）が噛合する。
【００１８】
このようにゴムクローラ９を掛ける作業を行う場合、上ローラ８は、図３（Ｃ）、図４（Ａ）に示すように、サイドフレーム２の上面に外側に向けて取付けられており、かつゴムクローラ９の凹凸部９ａに対応して上ローラ８にも凹凸部があるため、該上ローラ８にゴムクローラ９が引っ掛かり、前記ゴムクローラ９を掛ける作業が中断するおそれがある。
【００１９】
このような事態の発生を防止するため、図３（Ｃ）、図４（Ｂ）に示すように、ゴムクローラ９内に通し、かつ地上と上ローラ８間に架設して上ローラ８を覆う治具３３を設け、ゴムクローラ９の上帯部は該治具３３に沿って図４（Ｂ）の矢印Ｘで示すように上昇させ、上ローラ８上に導かれるようにしたものである。このような治具３３を備えれば、上ローラおよびその凹凸にゴムクローラ９が引っ掛かることなく、ゴムクローラ９がスムーズに該治具３３を滑り、ゴムクローラ９の取付けが円滑に行える。
【００２０】
本発明を実施する場合、治具２０の突条２８を形成する枠体２４の代わりに筒体を用いてもよい。また、前記突条２８は連続的に設けられるものではなく、断続的な突条によって形成してもよい。また、本発明の方法、治具は、新品の建設機械におけるゴムクローラの取付けにも用いることができる。
【００２１】
【発明の効果】
請求項１、２によれば、駆動スプロケットの周囲に螺旋状の突条を設けた円錐形治具を取付け、治具にゴムクローラの端部を掛け、駆動スプロケットと共に治具を回転させることにより、ゴムクローラが突条によってせり上げられ、駆動スプロケットに掛けられるようにしたので、ゴムクローラのサイドフレームへの取付けが労苦少なく容易に行えると共に、ゴムクローラを損傷するおそれがない。
【００２２】
請求項３によれば、ゴムクローラをガイドする治具を備え、上ローラに該治具を被せることにより、上ローラの凹凸にゴムクローラが引っ掛かることなく、ゴムクローラがスムーズに該治具を滑り、ゴムクローラの取付けが円滑に行える。
【図面の簡単な説明】
【図１】本発明によるゴムクローラの取付け方法と治具を用いてゴムクローラの取付けを行う建設機械の一例である油圧ショベルの側面図である。
【図２】（Ａ）は本発明の治具の一実施の形態を示す側面図、（Ｂ）はその左側面図である。
【図３】（Ａ）は図２の治具の駆動スプロケットへの取付け状態を示す平面図、（Ｂ）はゴムクローラ取付け作業状態を示す背面図、（Ｃ）はその平面図である。
【図４】（Ａ）は上ローラとゴムクローラとの係合状態を示す断面図、（Ｂ）はその上ローラへのガイド作用をなす治具の断面図である。
【符号の説明】
１：クローラ式走行体、２：サイドフレーム、３：駆動スプロケット、４：油圧シリンダ、５：ブラケット、６：従動輪、７：下ローラ、８：上ローラ、９：ゴムクローラ、１０：旋回装置、１１：旋回体、２０：治具、２１、２２：端版、２３：縦板、２４：枠体、２７：パイプ、２８：突条、３０：ボルト、３１：トラックフレーム、３２：台、３３：治具
【図１】
0003925834.tif 000002
【図２】
0003925834.tif 000003
【図３】
0003925834.tif 000004
【図４】
0003925834.tif 000005